(57)【要約】【課題】フック用開口部とリフレクタ装着用の凹部とが部分的に繋がった状態に形成されている場合に、フック用開口部を塞ぐカバーの取り付け状態を安定させ、かつカバー装着作業時にリフレクタを損傷させるといった虞も少ないバンパのカバー取付け構造を提供する。【解決手段】フック用開口部２０を塞ぐためのカバー１は、フック用開口部２０とリフレクタ用凹部２３内とを連通させる切欠き部２４を塞ぐ第１の壁部１１を有し、この第１の壁部１１の先端側には、切欠き部２４の奥部に位置する第２の壁部２２の外側面に接触させるためのガイド部１２が突設され、このガイド部１２の突出寸法Ｌ１は、第２の壁部２２の手前側端面からリフレクタ３の前面までの寸法Ｌ２よりも長く、カバー１には、ガイド部１２を第２の壁部２２の外側面に向けて押し付ける付勢力Ｆ１を発生する係合用凸部１３が設けられている。【選択図】  図１
2014108713.tif 000002
【特許請求の範囲】
【請求項１】
バンパに設けられたフック用開口部を塞ぐためのカバーと、
前記バンパに設けられ、かつ内部にリフレクタが装着されたリフレクタ用凹部と、
を備えており、
前記フック用開口部および前記リフレクタ用凹部の縁部どうしは互いに繋がり、前記バンパには、前記フック用開口部と前記リフレクタ用凹部内とを連通させる切欠き部が形成されている、バンパのカバー取付け構造であって、
前記カバーは、前記切欠き部を塞ぐ第１の壁部を有し、かつこの第１の壁部の先端側には、前記バンパのうち、前記切欠き部の奥部に位置する第２の壁部の外側面に接触させるためのガイド部が突設されており、
カバー装着方向における前記ガイド部の前記第１の壁部の先端面からの突出寸法は、前記第２の壁部の手前側端面から前記リフレクタの前面までの寸法よりも長くされており、
前記カバーには、前記フック用開口部への装着時において、前記バンパの一部に係合することによって、前記ガイド部が前記第２の壁部の外側面に押し付けられる方向の付勢力を発生する係合用凸部が設けられていることを特徴とする、バンパのカバー取付け構造。
【発明の詳細な説明】
【技術分野】
【０００１】
本発明は、自動車などの車両のバンパに設けられたフック用開口部を、カバーを用いて塞ぐように構成されたバンパのカバー取付け構造に関する。
なお、フック用開口部とは、牽引フックまたはトランスポートフック用装着部が奥部に設けられている開口部である。
【背景技術】
【０００２】
図４（ａ）に示すように、自動車のバンパ７にフック用開口部７０を設け、この開口部７０をカバー８によって覆うようにしたものがある。特許文献１には、カバー８として、複数の係止爪（図示略）が設けられたものを使用し、それら複数の係止爪を開口部７０の周縁部に係止させることが記載されている。
【０００３】
一方、自動車のマイナチェンジなどでは、車体構造を殆ど同一にしたまま、バンパの意匠を変更するといったことが行なわれる。この場合において、図４（ｂ）に示すように、バンパ７のうち、フック（図示略）の取り付け位置の近傍にリフレクタ（光反射板）９を装着する結果、リフレクタ用凹部７１とフック用開口部７０との縁部が互いに繋がり、リフレクタ用凹部７１の内部とフック用開口部７０とが連通してしまう場合がある。この場合、リフレクタ用凹部７１を規定する壁部は、比較的大きく切り欠かれた形態となる。
【０００４】
これに対し、特許文献１に記載のカバーは、複数の係止爪を同一平面内に設けた構成に過ぎないために、前記したようにリフレクタ用凹部７１内とフック用開口部７０とが連通した多面構成に、好適に対処することは難しい。図４（ｂ）に示した構成では、リフレクタ用凹部７１内とフック用開口部７０とが互いに連通する部分において、カバーの係止爪をいずれかの固定位置に係止させるといった構造を採用し難い。したがって、カバーの取り付けが不安定なものとなり、ぐらつきなどを生じる。また、フック用開口部７０は、リフレクタ９にかなり接近しているために、カバーを開口部７０に装着する際に、カバーがリフレクタ９の表面に当たり易く、リフレクタ９に傷が付くといった虞も生じる。
【先行技術文献】
【特許文献】
【０００５】
【特許文献１】特開２００３−２４６２４７号公報
【発明の概要】
【発明が解決しようとする課題】
【０００６】
本発明は、前記したような事情のもとで考え出されたものであり、フック用開口部とリフレクタ装着用の凹部とが部分的に繋がった状態で形成されている場合に、フック用開口部を塞ぐカバーの取り付け状態を安定したものとし、しかもカバーの取り付け作業時にリフレクタを損傷させるといった虞も少なくすることが可能なバンパのカバー取付け構造を提供することを、その課題としている。
【課題を解決するための手段】
【０００７】
上記の課題を解決するため、本発明では、次の技術的手段を講じている。
【０００８】
本発明により提供されるバンパのカバー取付け構造は、バンパに設けられたフック用開口部を塞ぐためのカバーと、前記バンパに設けられ、かつ内部にリフレクタが装着されたリフレクタ用凹部と、を備えており、前記フック用開口部および前記リフレクタ用凹部の縁部どうしは互いに繋がり、前記バンパには、前記フック用開口部と前記リフレクタ用凹
部内とを連通させる切欠き部が形成されている、バンパのカバー取付け構造であって、前記カバーは、前記切欠き部を塞ぐ第１の壁部を有し、かつこの第１の壁部の先端側には、前記バンパのうち、前記切欠き部の奥部に位置する第２の壁部の外側面に接触させるためのガイド部が突設されており、カバー装着方向における前記ガイド部の前記第１の壁部の先端面からの突出寸法は、前記第２の壁部の手前側端面から前記リフレクタの前面までの寸法よりも長くされており、前記カバーには、前記フック用開口部への装着時において、前記バンパの一部に係合することによって、前記ガイド部が前記第２の壁部の外側面に押し付けられる方向の付勢力を発生する係合用凸部が設けられていることを特徴としている。
【０００９】
このような構成によれば、次のような効果が得られる。
第１に、カバーに設けられているガイド部を、バンパの切欠き部の近傍において、バンパの第２の壁部の外側面に当接させることができるために、カバーを適切に位置決め固定することができる。カバーの装着時には、係合用凸部とバンパの一部とが係合することによって、ガイド部が第２の壁部の外側面に押し付けられる力が発生するために、ガイド部の位置決め固定をより確実かつ強固に行なうことが可能である。したがって、カバーを安定的に取り付けておくことができる。
第２に、ガイド部の第１の壁部の先端面からの突出寸法は、第２の壁部の手前側端面からリフレクタの前面までの寸法よりも長くされているために、カバーをフック用開口部に装着する際に、第１の壁部の先端がリフレクタの表面に接触するよりも前に、ガイド部の先端が第２の壁部の外側面に接触することとなる。このことにより、カバー装着時に、リフレクタを傷付ける虞を少なくすることができる。
【００１０】
本発明のその他の特徴および利点は、添付図面を参照して以下に行なう発明の実施の形態の説明から、より明らかになるであろう。
【図面の簡単な説明】
【００１１】
【図１】(ａ)は、本発明が適用されたバンパのカバー取付け構造の一例を示す正面図であり、(ｂ)は、その要部拡大正面図であり、(ｃ)は、（ｂ）に示す構造においてリフレクタが装着されていない状態を示す要部正面図であり、（ｄ）は、図１（ａ）に示す構造において使用されているカバーの斜視図である。
【図２】図１（ｂ）のII−II断面図である。
【図３】図１（ｂ）のIII−III断面図である。
【図４】（ａ），（ｂ）は、従来技術例を示す正面図である。
【発明を実施するための形態】
【００１２】
以下、本発明の好ましい実施の形態について、図面を参照して具体的に説明する。
【００１３】
図１（ａ）に示すように、本実施形態のバンパのカバー取付け構造Ａは、バンパ２に設けられたフック用開口部２０を塞ぐためのカバー１、リフレクタ３、およびこのリフレクタ３が内部に装着されるリフレクタ用凹部２３を有している。フック用開口部２０の奥部には、牽引フックまたはトランスポートフック用装着部が存在するが、図面においては省略している。
【００１４】
本実施形態のカバー取付け構造Ａは、図４（ｂ）を参照して先に説明した構造と同様に、フック用開口部２０の縁部とリフレクタ用凹部２３の縁部とは互いに繋がっている。このことにより、リフレクタ用凹部２３の周壁部には、このリフレクタ用凹部２３の内部をフック用開口部２０と連通させる切欠き部２４が形成されている。この切欠き部２４は、図１（ｃ）の符号Ｓａで示す範囲である。なお、この切欠き部２４の奥部には、リフレクタ用凹部２３の周壁部を規定する壁部が存在しており、その一部が、後述する第２の壁部
２２である。
【００１５】
カバー１は、図１（ｄ）に示すような外観形態を有しており、本体部１０、第１の壁部１１、ガイド部１２、および複数の係合用凸部１３，１４を備えている。本体部１０は、フック用開口部２０を塞ぐための部分である。第１の壁部１１は、リフレクタ３との干渉を回避しつつ切欠き部２４を塞ぐための部分であり、本体部１０からその前方に突出している。この第１の壁部１１の外面は、カバー１をバンパ２に取り付けた際に、リフレクタ用凹部２３の内面と大きな段差などを生じることなく、滑らかに繋がった形態となるように形成されている。
【００１６】
ガイド部１２は、第１の壁部１１の先端面１１ａからその前方に突出している。このガイド部１２は、リフレクタ用凹部２３を規定する壁部のうち、第２の壁部２２の外側面に当接させるための部分である。第２の壁部２２は、リフレクタ用凹部２３を規定する壁部のうち、切欠き部２４の奥部に存在する壁部であり、本実施形態では、上下高さ方向に起立した壁部が、本発明でいう第２の壁部に相当する（本発明では、切欠き部２４の奥部の水平状の壁部を、ガイド部１２の当接対象（第２の壁部）としてもかまわない）。
【００１７】
図２に示すように、第１の壁部１１の先端面１１ａからのガイド部１２の突出寸法Ｌ１は、第２の壁部２２の手前側端面からリフレクタ３の前面までの寸法Ｌ２よりも長くされている。好ましくは、第２の壁部２２の外面側には、ガイド部１２が一定以上奥部に進入されることを防止するためのストッパとしての役割を果たす段部２９が設けられている。
【００１８】
係合用凸部１３は、カバー１の左右幅方向においてガイド部１２とは反対側に設けられており、本実施形態では上下２つの係合用凸部１３が設けられている。この係合用凸部１３は、カバー１の装着時には、図２に示すように、バンパ２に設けられている突起部２８に係合するが、その際には、カバー１をリフレクタ３側に移動させる付勢力Ｆ１を、突起部２８と協働して発生させるように構成されている。この付勢力Ｆ１は、ガイド部１２を第２の壁部２２に圧接させる力として働く。一方、係合用凸部１４は、図３に示すようなフック爪タイプのものであり、カバー１がフック用開口部２０から外れることを防止するためのものである。
【００１９】
次に、前記したバンパのカバー取付け構造Ａの作用について説明する。
【００２０】
まず、カバー１をフック用開口部２０に装着する際には、ガイド部１２を第２の壁部２２の外側面の外方寄り（図面左側）に位置させるように前進させていくことにより、リフレクタ３との接触を回避しつつ、ガイド部１２を第２の壁部２２の外側面に適切に接触させることができる。ここで、ガイド部１２の突出寸法Ｌ１は、既述したように、第２の壁部２２の手前側端面からリフレクタ３の前面までの寸法Ｌ２よりも長いために、前記したような操作を行なった際には、第１の壁部１１の先端がリフレクタ３の表面に接触するよりも前に、ガイド部１２の先端が第２の壁部２２の外側面に接触することとなる。したがって、カバー１の装着時に、リフレクタ３を傷付ける虞を少なくすることができる。
【００２１】
次いで、カバー１をフック用開口部２０に装着した際には、係合用凸部１３，１４がフック用開口部２０の周縁部に係合する作用により、カバー１の抜け止めや、位置決めが図られることに加え、係合用凸部１３と突起部２８との係合により生じる付勢力Ｆ１に基づき、ガイド部１２が第２の壁部２２の外側面に押し付けられる。この押し付けは、切欠き部２４の近傍において行なわれる。したがって、切欠き部２４の形成箇所近辺におけるカバー１の固定力が弱くならないようにすることができる。その結果、カバー１をがたつきのない安定的な取付け状態とすることができる。
【００２２】
本発明は、上述した実施形態の内容に限定されない。本発明に係るバンパのカバー取付け構造の各部の具体的な構成は、本発明の意図する範囲内において種々に設計変更自在である。
【符号の説明】
【００２３】
Ａ  バンパのカバー取付け構造
１  カバー
２  バンパ
３  リフレクタ
１１  第１の壁部
１２  ガイド部
１３  係合用凸部
２０  フック用開口部
２２  第２の壁部
２３  リフレクタ用凹部
２４  切欠き部
【図１】
2014108713.tif 000003
【図２】
2014108713.tif 000004
【図３】
2014108713.tif 000005
【図４】
2014108713.tif 000006